(57)【要約】【課題】煩雑な設定作業をしないで、自分、家族または一時利用者の端末のみを基地局に接続可能にし、基地局への他人の無線接続を制限する基地局を提供する。【解決手段】移動体通信システムの基地局(100)は、基地局(100)の動作設定を許可された移動機(MS1)を識別するための認証データを保持し、認証データを用いて基地局(100)の動作設定を許可された移動機(MS1)を認証する認証部(150)、認証された移動機(MS1)から、基地局(100)を利用する移動機の情報または移動機の利用者情報を取得する取得部(124)、取得した移動機の情報または移動機の利用者情報を格納する記憶部(130)、格納された移動機の情報または移動機の利用者情報に基づいて、移動機の基地局(100)への無線接続を制御する制御部(126)を備える。【選択図】図２
2010258784.tif 000002
【特許請求の範囲】
【請求項１】
移動体通信システムの基地局であって、
該基地局の動作設定を許可された移動機を識別するための認証データを保持し、該認証データを用いて前記基地局の動作設定を許可された前記移動機を認証する認証部と、
該認証部により認証された移動機から、前記基地局を利用する移動機の情報または移動機の利用者情報を取得する取得部と、
該取得部により取得した移動機の情報または移動機の利用者情報を格納する記憶部と、
該記憶部に格納された移動機の情報または移動機の利用者情報に基づいて、移動機の前記基地局への無線接続を制御する制御部と、
を備えることを特徴とする基地局。
【請求項２】
移動体通信システムの基地局であって、
該基地局の動作設定を許可された移動機を識別するための認証データを保持し、該認証データを用いて前記基地局の動作設定を許可された前記移動機を認証する認証部と、
該認証部により認証された移動機の指示に基づいて、該移動機の利用者が前記移動体通信システムの事業者に対して契約している他の移動機の情報または他の移動機の利用者情報を、該事業者のサーバから取得する取得部と、
該取得部により取得した他の移動機の情報または他の移動機の利用者情報を格納する記憶部と、
該記憶部に格納された他の移動機の情報または他の移動機の利用者情報に基づいて、移動機の前記基地局への無線接続を制御する制御部と、
を備えることを特徴とする基地局。
【請求項３】
請求項２に記載の基地局において、
前記取得部が、移動体通信網を介して前記他の移動機の情報または前記他の移動機の利用者情報を取得する、
ことを特徴とする基地局。
【発明の詳細な説明】
【技術分野】
【０００１】
本発明は、移動体通信システムの基地局に関する。
【背景技術】
【０００２】
近年、移動体通信用の機器、特に携帯電話端末は急速に普及し、人口がある程度あるエリアはほとんどカバーされるようになった。しかしながら、家屋や建物の内部の空間や立地状況が悪い場所では、通常の既存基地局（即ち、広域基地局）からの電波が届かず圏外となるエリアや、電波が弱く通信が安定しないエリアが存在している。このような圏外となるエリアに対応するものとして、出力電力が小さく、半径数メートル〜数１０メートル程度のセル（サービスエリア）を提供する小型基地局が開発されている（非特許文献１を参照されたい。）。このような超小規模のセル自体、或いは、当該セルを提供する小型基地局をフェムトセルと称する。
【０００３】
一方、一般家庭においても、光回線、ＡＤＳＬなどのブロードバンド回線の常時接続が普及しているため、フェムトセルと移動体通信システムを接続する環境（即ちバックボーン）は整いつつある。さらに、通信事業者としては、フェムトセルおよびブロードバンド回線の利用によって、本来消費されるはずであった通常の既存基地局の帯域を使わずに済むというメリットもある。従って、近い将来フェムトセルの本格的な開発および使用が期待されている。
【先行技術文献】
【非特許文献】
【０００４】
【非特許文献１】http://www.nttdocomo.co.jp/info/news_release/page/070710_01.html
【発明の概要】
【発明が解決しようとする課題】
【０００５】
このようなフェムトセルを個人ユーザが購入し、自宅に設置した場合、フェムトセルが提供するカバーエリアに入ってきた移動機（携帯電話端末等）は、当該フェムトセルに無線接続することが可能となる。そうすると、例えば、個人ユーザにより購入・設置したフェムトセルを、他人が自由にアクセスすることが出来る。これを許してしまうと、当該個人自身が使いたいときに、他人にフェムトセルの無線帯域を消費されてしまい、スループットが不足したり、場合によっては、フェムトセルへの無線接続を拒否されることも想定される。
【０００６】
フェムトセルに類似するものとして、例えば、無線ＬＡＮ基地局がある。無線ＬＡＮ基地局では、使用するユーザを制限したい場合は、ユーザが端末（ＰＣ）のＩＤ（ＭＡＣアドレス）を登録して、使用しアクセスするためのＩＤ、パスワードを入力するようにしている。ところが、このような無線ＬＡＮ基地局の設定は、ＰＣや専用ソフトを使う煩雑かつ複雑な人手による作業であり、子供からお年寄りまでを含む携帯電話端末のユーザに、このような設定作業を強いるのは酷である。従って、無線ＬＡＮ基地局のような煩雑な設定作業をしないで、フェムトセルを自己および自分の家族の端末や、自分が許可した端末のみに使用可能とする機能、すなわち、未許可の端末のフェムトセルへの無線接続を制限する簡易な機能があれば便利である。
【０００７】
また、フェムトセルの利用者が端末を複数持っていた場合に、利用者の家族間や友人間の通信が割り引かれる「家族割引」等のサービスの普及も考えられる。このサービスでは、例えば、利用者が割引サービスを受けるグループを予め店頭で申し込み、キャリア（事業者）側が、申込の内容に基づきグループ登録情報を携帯電話網のサーバに登録しておく。登録された内容は、基本料金や通話料、通信料などの課金時に各種割引用データベースとして用いられる。このように店頭で予め申し込んだサービスに加入している端末のみにフェムトセルの利用を制限する機能もあればさらに便利である。しかしながら、上述のような機能は開発されていない。
【０００８】
なお、上述のような設定作業を行うために、フェムトセル自体にキーボードやボタン等の操作入力部を設けることも考えられる。しかしながら、フェムトセルにそのような操作入力部を設けることは、フェムトセルの大型化や製造工程の複雑化にもつながる。さらに、フェムトセルに操作入力部を設けると、入力状況を確認するための表示部もフェムトセルに設ける必要があり、同様に、上述の理由により好ましくない。また、無線ＬＡＮ基地局のように、アクセスするのにＩＤやパスワードの入力を用いると、それらＩＤやパスワードがわかれば誰でも基地局の設定が可能となるため、悪意のある人物に、不正規の端末を利用端末として登録されてしまうおそれもある。
【０００９】
そこで、本発明は、煩雑な設定作業を行わずに、自分、家族、許可した人物の端末のみが利用している端末を基地局に接続可能にし、基地局への不正規の無線接続を制限する基地局（フェムトセル）を提供することにある。
【課題を解決するための手段】
【００１０】
上述した諸課題を解決すべく、本発明による基地局（一般回線（ＡＤＳＬ等のブロードバンド回線）を介して移動体通信網に接続される基地局（フェムトセル））は、
該基地局の動作設定を許可された移動機を識別するための認証データを保持し、該認証データを用いて前記基地局の動作設定を許可された移動機を認証する認証部と、
該認証部により認証された（基地局の動作設定を許可された）移動機から、前記基地局を利用する移動機の情報または移動機の利用者情報を（無線接続を介して）取得する取得部と、
該取得部により取得した移動機の情報または移動機の利用者情報を格納する記憶部と、
該記憶部に格納された移動機の情報または移動機の利用者情報に基づいて、移動機の前記基地局への無線接続を制御する制御部と、
を備えることを特徴とする。
【００１１】
また、本発明の一実施態様による基地局（一般回線（ＡＤＳＬ等のブロードバンド回線）を介して移動体通信網に接続される基地局（フェムトセル））は、
該基地局の動作設定を許可された移動機を識別するための認証データを保持し、該認証データを用いて前記基地局の動作設定を許可された移動機を認証する認証部と、
該認証部により認証された（基地局の動作設定を許可された）移動機の指示に基づいて、該移動機の利用者が前記移動体通信システムの事業者に対して契約している他の移動機の情報または他の移動機の利用者情報（家族割引等のグループサービスに関する情報）を該事業者のサーバから取得する取得部と、
該取得部により取得した他の移動機の情報または他の移動機の利用者情報に基づいて、移動機の前記基地局への無線接続を制御する制御部と、
を備えることを特徴とする。
【００１２】
また、本発明の他の実施態様による基地局（一般回線（ＡＤＳＬ等のブロードバンド回線）を介して移動体通信網に接続される基地局（フェムトセル））は、
前記取得部が、移動通信網を介して前記他の移動機の情報または前記他の移動機の利用者情報を取得する、
ことを特徴とする。
【００１３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。なお、方法やプログラムの各ステップは、データの処理においては必要に応じて、CPU、DSPなどの演算処理装置を使用するものであり、入力したデータや加工・生成したデータなどをHDD、メモリなどの記憶装置に格納するものである。
【発明の効果】
【００１４】
本発明によれば、煩雑な設定作業を行わずに、自分、家族、許可した人物が利用している端末を基地局に接続可能にし、基地局への不正規の無線接続を制限する基地局（フェムトセル）を提供することができ、ユーザの利便性が向上する。
【図面の簡単な説明】
【００１５】
【図１】本発明の一実施態様によるフェムトセル（小型基地局）を使った移動体通信システムの概略構成図である。
【図２】図１に示したフェムトセルのブロック図である。
【図３】実施例１によるフェムトセルの処理を示すフローチャートである。
【図４】、実施例２による、フェムトセル１００と移動機ＭＳ１の処理を示すフローチャートの一例である。
【図５】実施例３による、フェムトセル１００と移動機ＭＳ１の処理を示すフローチャートの一例である。
【図６】アプリケーションを起動させた移動機の画面の一例を示す図である。
【図７】移動機ＭＳ１の画面の一例を示す図である。
【図８】図７で「登録端末設定モード」ボタンが選択された場合の移動機ＭＳ１の画面の一例を示す図である。
【図９】移動機ＭＳ１がフェムトセル１００に登録された場合に、移動機ＭＳ１が登録端末設定モードにあるときの移動機ＭＳ１の画面の一例を示す図である。
【図１０】移動機ＭＳ１の画面の一例を示す図である。
【図１１】移動機ＭＳ１の画面の一例を示す図である。
【図１２】移動機ＭＳ１の画面の一例を示す図である。
【発明を実施するための形態】
【００１６】
以降、諸図面を参照しながら、本発明の実施態様を詳細に説明する。
【００１７】
図１は、本発明の一実施態様によるフェムトセル（小型基地局）を使った移動体通信システムの概略構成図である。図１に示すように、移動体通信システムは、フェムトセルＦＣＬ、一般のインターネットＩＮＥＴ、携帯網接続認証用のサーバＳＶ，携帯網（移動体通信網）ＣＮＥＴ、公衆の基地局（広域基地局）ＢＳ１、フェムトセルＦＣＬのサービスを提供する事業者のデータサーバＤＳを少なくとも含む。図１に示すように、フェムトセルＦＣＬは、例えば一般家庭内に設置されたＡＤＳＬ（Asymmetric Digital Subscriber Line）や光ファイバなどのブロードバンド回線を通じて、一般のインターネットＩＮＥＴ、及び、携帯網接続認証用のサーバＳＶを介して携帯網ＣＮＥＴに接続されている。携帯網ＣＮＥＴには、公衆の基地局ＢＳ１やデータサーバＤＳが接続されている。また、公衆の基地局ＢＳ１には、携帯電話端末（移動機）ＭＳ３が無線接続している。フェムトセルＦＣＬのカバーエリア内に位置する携帯電話端末ＭＳ１，ＭＳ２は、フェムトセルＦＣＬと無線接続している。
【００１８】
データサーバＤＳには、フェムトセルＦＣＬの利用者のグループサービス（例えば家族割引）の登録状況が、フェムトセル毎のテーブルＴＢ１として保存されている。図１の例において、テーブルＴＢ１は、フェムトセルＦＣＬのユーザ（契約者）である「山田さん」のフェムトセルＩＤ、アドレスと共に、グループサービスに登録している端末の端末ＩＤ、携帯電話番号、契約者名及び機種を含む。これらユーザ情報が変更された場合は、テーブルＴＢ１の内容が変更される。また、フェムトセルＦＣＬには、フェムトセルＦＣＬを利用可能な端末の情報がテーブルＴＢ２として格納され、利用可能な端末が登録される（詳細は後述する）。
【００１９】
図２は、図１に示したフェムトセルの概略ブロック図である。図に示すように、フェムトセル（ＦＣＬ）１００は、無線部１１０、フェムトセル制御部１２０、記憶部１３０、回線接続部１４０、認証部１５０及びアンテナＡＮＴを備える。無線部１１０は、携帯電話端末（移動機）との通信を行う。フェムトセル制御部１２０は、装置全体の制御を司る。記憶部１３０は、各種設定情報を保存する。回線接続部１４０は、ブローバンド回線と接続する。認証部１５０は、フェムトセル１００の動作設定を許可された端末を識別するための認証データを保持し、認証データを用いてフェムトセル１００の動作設定を許可された移動機を認証する。また、アンテナＡＮＴは、携帯電話端末と通信する電波を送受信する。
【００２０】
フェムトセル制御部１２０は、登録部１２２、取得部１２４及び接続制御部１２６を備える。登録部１２２は、フェムトセル１００を利用する少なくとも１つの移動機の情報または移動機の利用者情報を登録する。取得部１２４は、認証部１５０により認証された端末から、フェムトセル１００を利用する移動機の情報または移動機の利用者情報（電話番号や移動機の識別番号等）を、アンテナＡＮＴを介して取得する。また、取得部１２４は、認証部１５０により認証された移動機の指示に基づいて、移動機の利用者が移動体通信システムのフェムトセル１００の事業者に対して契約している他の移動機の情報または他の移動機の利用者情報を、事業者のサーバデータＤＳから取得する。なお、登録部１２２は、取得部１２４によって無線により或いはブロードバンド回線を介して取得された、フェムトセル１００を利用する移動機または移動機の利用者情報（携帯電話番号、端末ＩＤなどの識別情報）を登録し、記憶部１３０に格納する。また、接続制御部１２６は、登録部１２２によって登録されている情報に基づいて、移動機のフェムトセル１００への無線接続を制御する。具体的には、接続制御部１２６は、記憶部１３０に格納されている情報に対応する移動機だけを、接続許可する。
【００２１】
ユーザが新たにフェムトセルを購入し、自宅に設置した場合、自分名義の複数の携帯電話でそのフェムトセルを使用可能にしたい。しかしながら、フェムトセルを誰でも使える状態にしてしまうと、フェムトセルの接続可能端末数の制限や帯域の制限などによって、自分の携帯電話がフェムトセルを使えなくなってしまうことが考えられる。また、フェムトセルをユーザが個人で購入した場合、そのフェムトセルを使える人を登録する作業が、煩雑でありわずらわしい。さらに、「フェムトセルに接続可能な移動機」の登録といったフェムトセルの動作設定は、フェムトセルの利用契約を行っていない人物によって行わせないことがセキュリティ上必要である。このような煩雑な設定作業や、フェムトセルの利用契約を行っていない人物によるフェムトセルの設定登録を回避するために、本発明では、フェムトセルの動作設定を、予め許可された利用者の移動機（フェムトセルの動作設定を許可された移動機）のみが行えるようにする。
【実施例１】
【００２２】
まず、フェムトセルの動作設定を許可された移動機を、フェムトセルに認証させ、さらにフェムトセルに接続可能な移動機として登録する手法を、図１〜３、６〜９を参照しながら実施例１として説明する。
【００２３】
図３は、実施例１によるフェムトセルの処理を示すフローチャートである。実施例１では、フェムトセル１００に接続できる端末として自端末を登録する処理について説明する。図３の処理に先立って、以下の事前作業が必要となる。フェムトセル１００を購入する際に、フェムトセル１００の契約ユーザは、自分の携帯電話番号およびフェムトセル固有の番号を申込書に記載し、フェムトセル固有の番号と自分の携帯電話番号が対応付けられた状態で、事業者のデータサーバＤＳ内のテーブルＴＢ１に保存されているようにする。なお、購入したユーザが複数回線契約していた場合は、ユーザの登録情報を含むテーブルＴＢ１には、購入した複数のフェムトセルＩＤの情報がそれぞれの回線（端末）に対して書き加えられる。また、フェムトセル１００のユーザの端末の少なくとも１つに、フェムトセル１００の動作設定を許可された端末としてフェムトセル１００に認証されるための認証データ（フェムトセルＩＤ＿Ａ）が書き込まれる。なお、図１の例では、フェムトセル１００の動作設定を許可された端末を、端末ＭＳ１とする。
【００２４】
まず、フェムトセル１００が設置場所のブロードバンド回線(光ファイバーやADSL)に接続されて電源がオンされ、図３のフローチャートが開始する。なお、フェムトセル１００は、電源オンやリセットからの復帰時などブロードバンド回線接続時にブロードバンド回線（インターネットＩＮＥＴ）経由で携帯網ＣＮＥＴとの接続を試行し、キャリアのデータサーバＤＳとネゴシエーションを取り、携帯網ＣＮＥＴと接続可能な状態になる。ネゴシエーションではフェムトセルＦＣＬがどこに繋がっているかというＩＰアドレスなどの位置情報が、データサーバＤＳに登録される。尚、フェムトセル１００は、各端末を位置登録する事や確認する事は可能だが、通話の通常利用は不可能な状態である。
【００２５】
ステップＰ１１にて、フェムトセル１００は、周囲の端末をサーチする。すなわち、周囲の端末に、端末が自局に位置登録するのに必要な情報を送信する。ステップＳ１１にて、フェムトセル１００の動作設定を許可された端末ＭＳ１がフェムトセルに位置登録され、フェムトセルとの通信が可能になる。ステップＳ１２にて、端末ＭＳ１が、予め登録されているフェムトセル登録用アプリケーションを起動させる。フェムトセル登録用アプリケーションは、フェムトセル１００に自端末や他の端末を登録するためのアプリケーションである。なお、このアプリケーションは、フェムトセル１００の動作設定を許可された端末に限らず登録してもよいし、動作設定を許可された端末にのみ登録してもよい。前者の場合でも、後述するように認証データによって、フェムトセルの動作設定を許可された端末のみにフェムトセルの動作設定を行わせることができる。また、図６に、アプリケーション（フェムトセル設定）を起動させる端末の画面の一例を示す。このアプリケーションはフェムトセルに位置登録しているときにのみ起動できるようにすれば、不用意に情報を送信してしまうことがなくなる。
【００２６】
ステップＳ１３にて、端末ＭＳ１は、位置登録しているフェムトセルにアクセスし、登録要求を行う。すなわち、図６において、端末ＭＳ１のユーザによって「フェムトセル設定」ボタンが選択された場合に、登録要求が行われる。この時、店頭で登録したフェムトセルに認証されるための認証データ（フェムトセルＩＤ＿Ａ）が、フェムトセル１００へ一緒に送信される。ステップＰ１２にて、フェムトセル１００は、端末ＭＳ１から登録要求コマンドを受信する。ステップＰ１３にて、フェムトセル１００の認証部１５０は、端末ＭＳ１から送信されたフェムトセル１００に対する認証データ（フェムトセルＩＤ＿Ａ）と、フェムトセル１００自体が予め記憶部１３０に保持する認証データ（フェムトセルＩＤ）とが、一致するか否かを判定する。ステップＰ１３にて一致しないと判定された場合、ステップＰ１４にて、フェムトセル制御部１２０は、登録要求への応答として、無線部１１０を介して登録要求拒否を端末ＭＳ１に送信する。
【００２７】
ステップＰ１３にて、認証部１５０によって認証データが一致すると判定された場合、ステップＰ１５にて、フェムトセル設定モード（ステップＰ１５〜Ｐ１７）がスタートする。図７に、この時の端末ＭＳ１の画面の一例を示す。図７のように、端末ＭＳ１では、フェムトセル設定用の画面右上に「認証ＯＫ」と表示され、端末ＭＳ１が、フェムトセル１００の動作設定を許可された端末として認証されたことがわかる。この場合、端末ＭＳ１は、フェムトセル１００の動作設定が可能であり、図７の「登録端末設定モード」ボタンが選択されると、フェムトセル１００を利用する端末を登録するためのモードに移ることができる。なお、図８に、図７で「登録端末設定モード」ボタンが選択された場合の端末ＭＳ１の画面の一例を示す。なお、図８に示すように、この段階では、どの端末もフェムトセル１００に登録されておらず、「自端末」、「家族端末」、「一時利用端末」の全てが「未登録」となっている。
【００２８】
次に、ステップＳ１４にて、端末ＭＳ１は、自端末を、フェムトセルの利用者端末として登録するようにフェムトセル１００に要求する。この際、端末ＭＳ１は、自端末の電話番号や端末ＩＤの全てまたは少なくとも１つを、フェムトセル１００に送信する。なお、この登録要求は、図８において、項目「自端末」の下の「未登録」ボタンが選択された場合に行われる。ステップＰ１６にて、フェムトセル１００の取得部１２４は、端末の電話番号や端末ＩＤを取得し、登録部１２２は、取得部１２４で取得した情報に対応する端末を、フェムトセル１００の利用端末として登録する。図９に、端末ＭＳ１がフェムトセル１００に登録された場合に、端末ＭＳ１が登録端末設定モードにあるときの端末ＭＳ１の画面の一例を示す。図９に示すように、項目「自端末」には、「２００ｘ／７／７登録」と表示され、自端末がフェムトセル１００に登録済みであることがわかる。その後、ステップＳ１５にて、端末ＭＳ１は、登録用アプリケーションの終了要求をフェムトセル１００へ送信する。ステップＰ１７にて、フェムトセル１００は、登録終了要求を端末ＭＳ１から受信すると、フェムトセル設定モードを終了し、通常動作に戻る。
【００２９】
本実施例によれば、予め店頭によって認証データを付与された端末のみがフェムトセルの動作設定を許可される。従って、ＩＤやパスワードが分かれば基地局の動作設定が可能となる従来技術と比べ、基地局に不正にアクセスされることがなくなる。
【実施例２】
【００３０】
次に、フェムトセルの動作設定を許可された端末ＭＳ１によって、フェムトセル１００に接続できる端末として、自分が属するグループ（家族割引）サービスに含まれる端末を設定する処理を、図１，２，４、６〜１０を参照しながら実施例２として説明する。図４は、実施例２による、フェムトセル１００と端末ＭＳ１の処理を示すフローチャートの一例である。
【００３１】
前段階として、端末ＭＳ１は、フェムトセル１００に位置登録している状態とする。まず、ステップＳ２１にて、端末ＭＳ１は、登録用アプリケーションを起動する。これは、図６に示す画面において、端末ＭＳ１のユーザによって「フェムトセル設定」ボタンが選択された状態である。ステップＳ２２にて、端末ＭＳ１は、位置登録しているフェムトセル１００にアクセスし、登録要求を送信する。この時、店頭で登録したフェムトセルに認証されるための認証データ（フェムトセルＩＤ＿Ａ）が一緒にフェムトセル１００に送信される。ステップＰ２１にて、フェムトセル１００は、端末ＭＳ１から登録要求コマンドを受信する。ステップＰ２２にて、フェムトセル１００の認証部１５０は、端末ＭＳ１から送信されたフェムトセル１００に対する認証データ（フェムトセルＩＤ＿Ａ）と、フェムトセル１００自体が予め記憶部１３０に保持する認証データ（フェムトセルＩＤ）とが、一致するか否かを判定する。ステップＰ２２にて一致しないと判定された場合、ステップＰ２９にて、フェムトセル制御部１２０は、登録要求への応答として、無線部１１０を介して登録要求拒否を端末ＭＳ１に送信し、処理を終了する。
【００３２】
ステップＰ２２にて、認証部１５０によって認証データが一致すると判定された場合、端末ＭＳ１に認証できたことを通知し、ステップＰ２３にて、フェムトセル設定モード（ステップＰ２３〜Ｐ２８）がスタートする。フェムトセル１００によって認証されると、端末ＭＳ１の画面は図７のようになる。図７において、ユーザによって「登録端末設定モード」が選択されると、端末ＭＳ１の画面は、図９に示すものに遷移する。図９に示すように、フェムトセル１００には自端末のみが登録され、家族の端末の登録がされていない状況になっている。ここで、ユーザによって項目「家族端末」の「未登録」ボタンが選択されると、ステップＳ２３にて、家族割引データの取得要求がフェムトセル１００に送信される。端末ＭＳ１からの取得要求を受け、ステップＰ２４にて、フェムトセル１００の取得部１２４は、回線接続部１４０を介して事業者のデータサーバＤＳにアクセスし、データのダウンロード要求を送信する。なお、検索するトリガとしては、端末ＭＳ１の電話番号や端末ＩＤ、フェムトセル１００固有の番号などがある。
【００３３】
ステップＰ２５にて、取得部１２４は、事業者のサーバからデータを受信し、記憶部１３０に格納する。このとき、記憶部１３０に家族割引データが格納されている場合は、新しくダウンロードしたデータで更新する。次に、ステップＰ２６にて、フェムトセル制御部１２０は、記憶部１３０に格納されている家族割引データの受信完了通知を、端末ＭＳ１に通知する。図１０に、このときの端末ＭＳ１の画面の一例を示す。図１０に示すように、端末ＭＳ１の画面には、「フェムトセルＩＤ：１２３４、接続可能端末」として、登録者の名前と、その登録種別が表示される。図１０の例では、「山田太郎」がフェムトセル１００の契約者「本人」であり、「山田花子」が、山田太郎の「家族」として登録されていることがわかる。また、「鈴木二郎」が、フェムトセル１００の「一時利用」が許可された人物として登録されている（詳細は後述する）。
【００３４】
端末ＭＳ１は、フェムトセル１００から完了通知を受信すると、ステップＳ２４にて、フェムトセル１００に登録終了要求を送信する。これは、端末ＭＳ１のユーザによって、図１０に表示された内容で登録することが確認された場合である。端末ＭＳ１から登録終了要求を受けると、ステップＰ２７にて、家族割引端末（「山田花子」に対応する端末）を登録する。その後、端末ＭＳ１によってアプリケーション終了要求が送信されると（ステップＳ２５）、フェムトセル１００は、ステップＰ２８にて、フェムトセル設定モードを終了する。
【００３５】
本実施例によれば、フェムトセルの動作設定を許可された端末が、家族割引等のグループサービスに関するデータをキャリアのサーバから取得し、そのデータに基づいてフェムトセルの利用登録処理を行うため、ユーザが手作業により入力する必要がなく、登録作業をより簡単に行うことが可能となる。
【実施例３】
【００３６】
次に、フェムトセルの動作設定を許可された端末ＭＳ１によって、ある端末を、フェムトセル１００に接続できる一時利用端末として設定する処理を、図１，２，５，６〜１２を参照しながら実施例３として説明する。図５は、実施例３による、フェムトセル１００と端末ＭＳ１の処理を示すフローチャートの一例である。
【００３７】
前段階として、端末ＭＳ１は、フェムトセル１００に位置登録している状態とする。まず、ステップＳ３１にて、端末ＭＳ１は、登録用アプリケーションを起動する。これは、図６に示す画面において、端末ＭＳ１のユーザによって「フェムトセル設定」ボタンが選択された状態である。ステップＳ３２にて、端末ＭＳ１は、位置登録しているフェムトセル１００にアクセスし、登録要求を送信する。この時、店頭で登録したフェムトセルに認証されるための認証データ（フェムトセルＩＤ＿Ａ）が一緒に送信される。ステップＰ３１にて、フェムトセル１００は、端末ＭＳ１から登録要求コマンドを受信する。ステップＰ３２にて、フェムトセル１００の認証部１５０は、端末ＭＳ１から送信されたフェムトセル１００に対する認証データ（フェムトセルＩＤ＿Ａ）と、フェムトセル１００自体が予め記憶部１３０に保持する認証データ（フェムトセルＩＤ）とが、一致するか否かを判定する。ステップＰ３２にて一致しないと判定された場合、ステップＰ３７にて、フェムトセル制御部１２０は、登録要求への応答として、無線部１１０を介して登録要求拒否を端末ＭＳ１に送信し、処理を終了する。
【００３８】
ステップＰ３２にて、認証部１５０によって認証データが一致すると判定された場合、端末ＭＳ１に認証できたことを通知し、ステップＰ２３にて、フェムトセル設定モード（ステップＰ３２〜Ｐ３６）がスタートする。フェムトセル１００によって認証されると、端末ＭＳ１の画面は図７のようになる。図７において、ユーザによって「登録端末設定モード」が選択されると、端末ＭＳ１の画面は、図９に示すものに遷移する。なお、図９の例では、項目「家族端末」が「未登録」となっているが、実施例２で説明した処理によって家族端末が登録されている場合は、例えば、「２００ｘ／８／８登録済み」のような表示となる。ここで、ユーザによって項目「一時利用端末」の「電話帳より登録」ボタン又は「個別入力」ボタンが選択されると、端末ＭＳ１の画面は、一時利用端末として許可する端末の電話番号を電話帳から選択する画面又は、個別に入力する画面となる。図１１に、「電話帳より選択」ボタンが選択された場合の端末ＭＳ１の画面の一例を示す。ここで、ユーザによって電話番号が選択又は入力されると、ステップＳ３３にて、一時利用端末として登録したい電話番号がフェムトセル１００に送信される。端末ＭＳ１から登録要求を受信すると、ステップＰ３４にて、フェムトセル１００の登録部１２２は、通信可能端末として端末より送信された電話番号の端末を登録する。次に、端末ＭＳ１は、ステップＳ３４にて、個別に登録した端末の使用期限設定をフェムトセル１００に送信する。フェムトセル１００のフェムトセル制御部１２０は、ステップＰ３５にて、一時利用端末の、フェムトセル１００の使用期限を設定する。端末ＭＳ１は、一時利用端末の設定を終了する場合、ステップＳ３５にて、登録終了要求をフェムトセル１００に送信する。ステップＰ３６にて、登録終了要求を受信すると、フェムトセル１００は、フェムトセル設定モードを終了させる。
【００３９】
実施例１〜３の処理によって、フェムトセル１００を利用可能な端末の情報を格納するテーブルＴＢ２は、図１に示すようになる。フェムトセル１００の接続制御部１２６は、テーブルＴＢ２に記録されている端末（ユーザ本人、その家族、一時的に許可された携帯電話）にのみ、フェムトセル１００への無線接続を許可する。なお、実施例１〜３の処理に応じた登録方法によって、端末の種別（「本人」「家族」「一時利用」）が自動的にわけられ、認証データを持った端末の番号は「本人」、家族割データを用いて登録された番号は「家族」、認証データを持った端末より個別に登録された番号は「一時利用」となる。この種別情報は、例えば、フェムトセルにファイルサーバー機能を持たせた場合などに、アクセス権限をつける場合に利用することができる。
【００４０】
なお、フェムトセル１００の利用を、実施例１〜３の処理で登録した端末に制限しないようにしたい場合も考えられる。そのような場合に、フェムトセル１００へのアクセス制限の設定解除を、端末ＭＳ１によってのみ行えるようにしてもよい。例えば、フェムトセル設定アプリケーションを端末ＭＳ１において起動した、図７に示す端末ＭＳ１の画面において、「アクセス制限モード」が設定されると、図１２に示す画面が端末ＭＳ１に表示され、「アクセス制限設定」ボタン又は「アクセス制限解除」ボタンを選択することにより、それぞれ、「アクセス制限」、すなわち、フェムトセル１００の利用端末を登録端末にのみ制限するモードと、「アクセス制限解除」、すなわち任意の端末にフェムトセル１００を利用させるモードとを、切り換えることができる。
【００４１】
本発明の利点を再度述べる。本発明によれば、煩雑な設定作業を行わずに、自分が利用している端末や、その家族の端末、又は一時的に利用を許可する端末のみを基地局に接続可能にし、基地局への他人の無線接続を制限する基地局（フェムトセル）を提供することが可能となる。
【００４２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。例えば、上述の実施例では移動機として携帯電話端末を例として説明したが、本発明はこれに限られるものではないことに留意されたい。例えば、移動機としては、フェムトセルへの接続が可能であるならば、ＰＤＡ（パーソナルデジタルアシスタンス）、携帯ゲーム機、携帯オーディオプレーヤー、携帯ビデオプレイヤー、携帯電子辞書、携帯電子書籍ビューワーなどの携帯電子機器に幅広く本発明を適用することが可能である。
【符号の説明】
【００４３】
１００，ＦＣＬ  フェムトセル
１１０  無線部
１２０  フェムトセル制御部
１２２  登録部
１２４  取得部
１２６  接続制御部
１３０  記憶部
１４０  回線接続部
１５０  認証部
ＡＮＴ  アンテナ
ＢＳ１  基地局
ＣＮＥＴ  携帯網
ＤＳ  データサーバ
ＩＮＥＴ  インターネット
ＭＳ１−ＭＳ３  携帯電話
ＳＶ  サーバ
ＴＢ１，ＴＢ２  テーブル
【図１】
2010258784.tif 000003
【図２】
2010258784.tif 000004
【図３】
2010258784.tif 000005
【図４】
2010258784.tif 000006
【図５】
2010258784.tif 000007
【図６】
2010258784.tif 000008
【図７】
2010258784.tif 000009
【図８】
2010258784.tif 000010
【図９】
2010258784.tif 000011
【図１０】
2010258784.tif 000012
【図１１】
2010258784.tif 000013
【図１２】
2010258784.tif 000014